(57)【要約】【課題】上に位置する緑化ユニットの余剰水が下に位置する緑化ユニットに流れ込むことを抑制し、下に位置する緑化ユニットの水分を適量に制御して健全な植物の育成を図ることを可能にする。【解決手段】緑化ユニット２０を、高さ方向に間隔を開けて設けられる支持部に取り付けて、略高さ方向に複数設置し、緑化ユニット２０毎に給水を行う潅水パイプ９０を設け、上に位置する緑化ユニット２０に余剰水を誘導する余剰水誘導部８０を設け、余剰水誘導部８０により、上の緑化ユニット２０の下に位置する緑化ユニット２０の後方へ余剰水を誘導し、下の緑化ユニット２０に余剰水が進入することを抑制する緑化構造体。【選択図】図１
2009159946.tif 000002
【特許請求の範囲】
【請求項１】
緑化ユニットを、高さ方向に間隔を開けて設けられる支持部に取り付けて、略高さ方向に複数設置し、
第１の緑化ユニットに前記第１の緑化ユニットの余剰水を誘導する余剰水誘導部を設け、
前記余剰水誘導部の前記余剰水の誘導により、前記第１の緑化ユニットの下に位置する第２の緑化ユニットへの前記余剰水の進入を抑制することを特徴とする緑化構造体。
【請求項２】
前記緑化ユニット毎に給水を行う給水部を有することを特徴とする請求項１記載の緑化構造体。
【請求項３】
前記余剰水誘導部を略面状領域を有するものとし、
前記余剰水誘導部により、少なくとも前記第１の緑化ユニットの最下端を前側から被覆すると共に、
前記余剰水誘導部の略下部を前記第２の緑化ユニットの後側に配置することを特徴とする請求項１又は２記載の緑化構造体。
【請求項４】
前記緑化ユニットを垂直方向に複数設置し、且つ前記緑化ユニットを前方に傾斜して設置することを特徴とする請求項１〜３の何れかに記載の緑化構造体。
【請求項５】
前記余剰水誘導部を前記第１の緑化ユニットに着脱可能に取り付けることを特徴とする請求項１〜４の何れかに記載の緑化構造体。
【請求項６】
前記緑化ユニットを、少なくとも、植物を栽培可能な植栽部と、前記植栽部の下方に水分を貯留可能な貯水部と、前記貯水部の水分を前記植栽部へ導く導水部とで構成し、前記貯水部に前記給水部で給水することを特徴とする請求項２〜５の何れかに記載の緑化構造体。
【請求項７】
前記植栽部を、側面と底面を有する上面開口の略箱形とし、
前記略箱形の植栽部の内面のうち、少なくとも１つの側面と底面に敷設される導水部材を設け、
前記導水部材に接触するように前記植栽部に育成材を充填し、
前記導水部が、少なくとも前記導水部材と接触することを特徴とする請求項６記載の緑化構造体。
【請求項８】
請求項１〜７の何れかに記載の緑化構造体を複数並設し、
前記余剰水誘導部を、並設される前記緑化構造体の並設される前記第１の緑化ユニットに跨って取り付けるものとすることを特徴とする緑化設備。
【請求項９】
請求項１〜７の何れかに記載の緑化構造体を複数並設し、
隣り合う前記緑化構造体の隣り合う前記第１の緑化ユニットの前記余剰水誘導部を相互に重ね合わせることを特徴とする緑化設備。
【請求項１０】
植物を栽培可能な植栽部と、
前記植栽部の下方に水分を貯留可能な略箱形の貯水部と、
前記貯水部の前面と底面の交わる角部を被覆し、余剰水を所定経路に誘導する余剰水誘導部とを備えることを特徴とする緑化ユニット。
【発明の詳細な説明】
【技術分野】
【０００１】
本発明は、複数の緑化ユニットを高さ方向に設置する緑化構造体、緑化設備及び緑化ユニットに関する。
【背景技術】
【０００２】
複数の緑化ユニットを高さ方向に設置する緑化構造体として特許文献１の緑化構造体がある。特許文献１の緑化構造体は、植物を栽培する植栽部と、植栽部の下方に設けられる水分を貯水する貯水部と、貯水部内の水分を植栽部へ導水する導水部材とを有する緑化ユニットを、高さ方向に間隔を開けて設けられる支持部にそれぞれ取り付けて、複数の緑化ユニットを高さ方向に設置する構造体であり、植栽部と貯水槽との間に給水管を配設するものである。
【０００３】
【特許文献１】特開２００６−１９１８０５公報
【発明の開示】
【発明が解決しようとする課題】
【０００４】
ところで、特許文献１の緑化構造体では、上に位置する緑化ユニットで余剰水が発生した場合に、その余剰水が下に位置する緑化ユニットに流れこんでしまうため、下に位置する緑化ユニットの水分を適量に制御することが難しく、健全な植物の育成に支障を来すという不具合がある。
【０００５】
本発明は上記不具合を解消するために提案するものであって、上に位置する緑化ユニットの余剰水が下に位置する緑化ユニットに流れ込むことを抑制し、下に位置する緑化ユニットの水分を適量に制御して健全な植物の育成を図ることを可能にする緑化構造体、緑化設備及び緑化ユニットを提供することを目的とする。
【課題を解決するための手段】
【０００６】
本発明の緑化構造体は、緑化ユニットを、高さ方向に間隔を開けて設けられる支持部に取り付けて、略高さ方向に複数設置し、第１の緑化ユニットに前記第１の緑化ユニットの余剰水を誘導する余剰水誘導部を設け、前記余剰水誘導部の前記余剰水の誘導により、前記第１の緑化ユニットの下に位置する第２の緑化ユニットへの前記余剰水の進入を抑制することを特徴とする。余剰水誘導部は、第１の緑化ユニットの下に位置する第２の緑化ユニットに植栽される植物により、前面視で隠れるように取り付ける構成とすると、美観を高めることができて好ましい。
【０００７】
また、本発明の緑化構造体は、前記緑化ユニット毎に給水を行う給水部を有することを特徴とする。尚、給水部による給水には、緑化ユニットの各々に略一律に給水する構成の他、緑化ユニット毎に給水量を適量を調整制御して給水する構成も含まれる。また、本発明の緑化構造体には、給水部を設けずに、最上段の緑化ユニットが露出した状態で屋外に設置される緑化構造体、或いは最上段の緑化ユニットの上側に屋根がある状態で屋外に設置される緑化構造体等が含まれる。
【０００８】
また、本発明の緑化構造体は、前記余剰水誘導部を略面状領域を有するものとし、前記余剰水誘導部により、少なくとも前記第１の緑化ユニットの最下端を前側から被覆すると共に、前記余剰水誘導部の略下部を前記第２の緑化ユニットの後側に配置することを特徴とする。また、余剰水誘導部は、緑化ユニットの最下端縁を前側の外方から被覆し、第１の緑化ユニットからの余剰水を第１の緑化ユニットの下方に位置する第２の緑化ユニットへ進入することを抑制するものとすることが好ましい。また、余剰水誘導部は、形状を保持可能な板状或いはシート状とすると、余剰水誘導部、ひいては緑化ユニット、緑化構造体、緑化設備を安価で、取り扱いが容易なものとすることができて好適である。
【０００９】
また、本発明の緑化構造体は、前記緑化ユニットを垂直方向に複数設置し、且つ前記緑化ユニットを前方に傾斜して設置することを特徴とする。また、緑化ユニットを上面開放の略直方体形或いは略立方体形とし、前記緑化ユニットを水平に対して前方に所定角度傾斜した状態で支持部に設置し、最下端縁に相当する緑化ユニットの前面と底面との交わる角部を余剰水誘導部で被覆する構成とする。尚、前記略高さ方向に設置する緑化ユニットには、前記垂直方向に緑化ユニットを設置する以外に、前後或いは左右にずれながら緑化ユニットが高さ方向に設けられる場合も含まれる。
【００１０】
また、本発明の緑化構造体は、前記余剰水誘導部を前記第１の緑化ユニットに着脱可能に取り付けることを特徴とする。
【００１１】
また、本発明の緑化構造体は、前記緑化ユニットを、少なくとも、植物を栽培可能な植栽部と、前記植栽部の下方に水分を貯留可能な貯水部と、前記貯水部の水分を前記植栽部へ導く導水部とで構成し、前記貯水部に前記給水部で給水することを特徴とする。また、本発明の緑化構造体は、側面と底面を有する上面開放の略箱形の植栽部と、側面と底面を有する上面開放の略箱形の貯水部とを有し、植栽部の下方に貯水部を取り付けて緑化ユニットを構成し、緑化ユニットの余剰水を誘導する余剰水誘導部を植栽部の前面に取り付けることを特徴とする。
【００１２】
また、本発明の緑化構造体は、前記植栽部を、側面と底面を有する上面開口の略箱形とし、前記略箱形の植栽部の内面のうち、少なくとも１つの側面と底面に敷設される導水部材を設け、前記導水部材に接触するように前記植栽部に育成材を充填し、前記導水部が、少なくとも前記導水部材と接触することを特徴とする。前記導水部材は例えば不織布等とすると好適であり、又、略箱形の植栽部の内面の前後面及び底面、或いは両側面と底面、或いは前後面、両側面及び底面など少なくとも３面以上に敷設すると好適である。また、不織布等の導水部材は、各面に沿って設けると良好である。
【００１３】
また、本発明の緑化構造体は、前記緑化ユニットを垂直方向に複数設置し、且つ前記緑化ユニットを前方に傾斜して設置し、前記余剰水誘導部を略面状領域を有するものとし、前記余剰水誘導部により、前記第１の緑化ユニットの前記貯水部の上端縁より上側の位置から前記貯水部の下端縁を前側から被覆し、前記余剰水誘導部を、前記貯水部の下端縁近傍から前記緑化ユニットの傾斜角度に略対応して傾斜させ、前記余剰水誘導部の略下部を前記第２の緑化ユニットの後側に配置することを特徴とする。
【００１４】
また、本発明の緑化設備は、本発明の緑化構造体を複数並設し、前記余剰水誘導部を、並設される前記緑化構造体の並設される前記第１の緑化ユニットに跨って取り付けるものとすることを特徴とする。例えば複数の緑化構造体を植栽された植物が重ならないように一列に横方向に並設し、余剰水誘導部を隣り合う緑化ユニットに跨って取り付けるようにする。
【００１５】
また、本発明の緑化設備は、本発明の緑化構造体を複数並設し、隣り合う前記緑化構造体の隣り合う前記第１の緑化ユニットの前記余剰水誘導部を相互に重ね合わせることを特徴とする。例えば複数の緑化構造体を一方向又は複数方向に並設し、隣り合う緑化ユニットの余剰水誘導部の端部等を相互に重ね合わせるようにする。
【００１６】
また、本発明の緑化ユニットは、植物を栽培可能な植栽部と、前記植栽部の下方に水分を貯留可能な略箱形の貯水部と、前記貯水部の前面と底面の交わる角部を被覆し、余剰水を所定経路に誘導する余剰水誘導部とを備えることを特徴とする。前記所定経路は、下の緑化ユニットに余剰水が流れ込まない適宜の経路とすることが可能であるが、それ以外の所定経路に誘導する構成も包含する。また、本発明の緑化ユニットは、側面と底面とを有する略箱形の植栽部と、側面と底面を有する略箱形であり、植栽部の下方に水分を貯留可能な貯水部と、前記植栽部に取り付けられ、貯水部の前面側の側面と底面の交わる角部を被覆する余剰水誘導部とを備えることを特徴とする。
【００１７】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。また、本発明には、各緑化ユニットに一律に同じ植物を植栽する緑化構造体、或いは保水量や給水量に対応する植物等が各緑化ユニットに植栽されている緑化構造体等が含まれる。
【発明の効果】
【００１８】
本発明は、第１の緑化ユニットの余剰水誘導部で余剰水を誘導し、第１の緑化ユニットの下に位置する第２の緑化ユニットへの余剰水の進入を抑制することにより、上に位置する緑化ユニットの余剰水が下に位置する緑化ユニットに流れ込むことを抑制して、下に位置する緑化ユニットに与える影響を抑制することができ、下に位置する緑化ユニットの水分を適量に制御して健全な植物の育成を図ることが可能となる。また、上下の緑化ユニットの間で発生する水分量の差を極力無くすことができる。
【００１９】
また、緑化ユニット毎に給水を行う給水部を設けることにより、緑化ユニット毎に給水を行うことが可能となると共に、給水で下に位置する緑化ユニットに過湿状態が生じて植物の根腐れが発生することを防止することができる。即ち、高さ方向に設置される緑化ユニットは、その緑化ユニット毎に日当たり、風通しの相違等によって水分の蒸散量が異なり、保水量或いは貯水量に差を生ずるが、保水量或いは貯水量が多い緑化ユニットに合わせて略一律で少なめに給水を行うと、保水量或いは貯水量が少ない緑化ユニットでは水不足が生じて植物が枯れてしまう。そのため、保水量或いは貯水量が少ない緑化ユニットに合わせて略一律で多めに給水を行う必要があるが、多めに給水を行うと余剰水が発生する。この際に、余剰水誘導部がない場合には、上で位置する緑化ユニットで生じた余剰水が下の緑化ユニットに流れ込み、下の緑化ユニットの土壌等が過湿状態となって植物の根腐れが発生するが、余剰水誘導部を設けて給水を行うことにより斯様な根腐れを防止することができる。
【００２０】
また、余剰水誘導部を略面状領域を有するものとし、余剰水誘導部により、少なくとも第１の緑化ユニットの最下端を前側から被覆すると共に、余剰水誘導部の略下部を第2の緑化ユニットの後側に配置することにより、第１の緑化ユニットの余剰水を第2の緑化ユニットの後側に落下させ、前記余剰水が第２の緑化ユニットに落下することを防止できると共に、余剰水が第１の緑化ユニットの前側に落下することを防止し、落下する余剰水が美観を損ねることを防止することができる。
【００２１】
また、緑化ユニットを垂直方向に複数設置し、緑化ユニットを前方に傾斜して設置することにより、下の緑化ユニットで成長する植物が上の緑化ユニットに当たって生長が阻害されることを防止することができると共に、下の緑化ユニットの植物で上の緑化ユニット事態を隠すことが可能となり、緑化構造体等の美観を一層高めることができる。
【００２２】
また、余剰水誘導部を第１の緑化ユニットに着脱可能に取り付けることにより、緑化構造体の設置場所の環境、緑化ユニットに植栽されている植物の種類等に応じて所要箇所の余剰水誘導部を取り外すなど、環境等に応じた柔軟な対応を行うことが可能となる。
【００２３】
また、緑化ユニットを、植物を栽培可能な植栽部と、水分を貯留可能な貯留部とで構成することにより、水分管理を容易にすることができると共に、給水間隔を長くすることが可能となる。また、貯水部の水分を導水部で植栽部へ導くことにより、貯水部の水分を植栽部に確実に導水することができる。また、植栽部を上面開口の略箱形とし、その内面のうち、少なくとも１つの側面及び底面に不織布などの導水部材を敷設することにより、導水部からの水分を水平的な広がりや上方向への広がりをもって育成材全体に行き渡らせることが可能となると共に、一番乾燥しやすい育成材の上方にも確実に、且つ早く水分を導水することが可能となる。また、植栽部と貯水部を上面開放の略箱形で形成することにより、植栽部の育成材の保持及び水の保持等を容易にし、簡単な構造で緑化構造体等を構成することができる。また、余剰水誘導部を植栽部の前面に取り付けることにより、余剰水誘導部を容易に安定して設置することができる。
【００２４】
また、緑化ユニットを前方に傾斜して設置し、余剰水誘導部を緑化ユニットの傾斜角度に略対応して傾斜させ、余剰水誘導部の略下部を第２の緑化ユニットの後側に配置することにより、余剰水誘導部の傾斜部分を緑化ユニットの傾斜角度に対応させて一層優れた美観を実現することができると共に、下の緑化ユニットの植物の健全な育成を確保することができる。
【００２５】
また、緑化構造体を複数並設し、余剰水誘導部を並設される緑化構造体の並設される第１の緑化ユニットに跨って取り付ける構成、或いは緑化構造体を複数並設し、隣り合う緑化構造体の隣り合う第１の緑化ユニットの余剰水誘導部を相互に重ね合わせる構成により、緑化ユニット相互間や余剰水誘導部相互間から下の緑化ユニットに余剰水が流れ落ちることを防止することができる。また、前記余剰水誘導部を跨って取り付ける構成により、余剰水誘導部の個数を削減してコスト低減を図ることができ、また、余剰水誘導部を隣り合う緑化構造体の相互配置の位置を規定する或いは固定する部材として利用することができる。
【００２６】
また、余剰水誘導部で余剰水を所定経路に誘導することにより、緑化ユニットで生じた余剰水が下の緑化ユニットに落下することを防止したり、或いは排水若しくは有効利用するために所要経路に確実に導くことが可能となる。
【発明を実施するための最良の形態】
【００２７】
以下では、本発明の実施形態について図面に沿って説明する。
【００２８】
〔実施形態の緑化構造体〕
本実施形態の緑化構造体１０は、図１に示すように、壁面１１０に沿って支持器具６０を設け、緑化ユニット２０を支持器具６０に取り付け、各緑化ユニット２０を水平面に対して所定角度傾斜させた状態で、垂直方向に複数布設するものである。緑化ユニット２０は植栽部３０と貯水部４０とで構成され、植栽部３０に植物１００の植栽を施すことにより、壁面緑化を行うことが可能である。尚、図示の１２０は床面である。
【００２９】
植栽部３０は、図２に示すように、底板３１と、前側壁３２と後側壁３３と左側壁３４と右側壁３５とで構成される周壁とを有する上面開放であり、平面視略長方形の箱体で構成されている。底板３１には、貯水部４０から水分を導水可能な導水部に相当する吸水部材５０を取り付けるための吸水部材取付孔３１１が前側壁３２の近傍位置で穿設され、吸水部材取付孔３１１は平面視略円形で両側に突出する切込３１２を有する形状で形成されている。前側壁３２と後側壁３３と左側壁３４と右側壁３５の各上端縁には内方に屈曲して延設された補強片３６が形成されており、補強片３６により植栽部３０の強度が高められている。
【００３０】
前側壁３２の下端には、底板３１よりも下方に延設して突出された突出片３２１を有し、突出片３２１には後述する貯水部４０を固定する蝶ネジ２１を挿通可能な挿通孔３２２が穿設されている。後側壁３３の外面には、後述する支持器具６０の被係止部材に係止可能な係止部材３７が取り付けられている。係止部材３７は、後側壁３３の外面に取り付けられる略長方形の基板３７１と、基板３７１の内側端縁の上下一部を除く中央部分を後側に屈曲して延設した間隔調整部３７２と、間隔調整部３７２の端縁を外方に屈曲して延設した係止片３７３とで構成されている。間隔調整部３７２は板状であり、その下辺は植栽部３０の底板３１と平行に形成され、その上辺は後側に向かうに従って徐々に下方に傾斜し、且つ前記下辺よりも後側まで長く伸びており、側面視で徐々に幅狭となる形状である。係止片３７３は間隔調整部３７２の端縁を略直角に屈曲延設して形成され、上側に向かって後側に傾斜して、後側壁３３から徐々に離れるように形成されている。
【００３１】
貯水部４０は、図３に示すように、底板４１と、前側壁４２と後側壁４３と左側壁４４と右側壁４５とで構成される周壁とを有する上面開放であり、平面視略長方形の箱体で構成され、平面視で植栽部３０と略対応する大きさである。底板４１には壁状の仕切部４６が形成され、貯水部４０内は仕切部４６で複数の貯水空間、本例では３つの貯水空間に仕切られている。仕切部４６は、前側壁４２との当接部分が最大高さの部分で前記周壁より若干低くなっており、前側壁４２の当接部分から後側に行くに従って徐々に低くなるように傾斜し、後側壁４３の当接部分或いはその近傍で高さがほぼゼロとなる、側面視略直角三角形の形状に形成されている。
【００３２】
仕切部４６により、緑化ユニット２０が斜めに設置された場合等に貯水部４０内の水分の片寄りが発生することを防止し、貯水部４０内の全体的な領域に亘って略平均的に貯水量を確保することができると共に、各貯水空間に設けられる全ての吸水部材５０で確実に植栽部３０へ水分を導くことが可能となる。また、仕切部４６を略直角三角形に形成し、緑化ユニット２０を前方に傾斜した状態で設置した場合に、その長辺４６１が略水平になるように構成することで、仕切部４６の材料費を抑えた状態で、確実に貯水量を確保することができる。
【００３３】
前側壁４２には、植栽部３０の挿通孔３２２に対応する位置に、挿通孔３２２に挿通された蝶ネジ２１をネジ込み可能なネジ込み孔４２１が穿設されている。左右両側の左側壁４４と右側壁４５には、後述する潅水パイプ９０を挿通可能な略半円形の凹部４７が形成されており、凹部４７は前面側が途中から傾斜面４７１となり、傾斜面４７１を介して側壁４４、４５の上端面に達する形状になっている。
【００３４】
吸水部材５０は、図５に示すように、略円柱状の吸水棒５１を筒状部材５２に収納して構成され、吸水棒５１を介して貯水部４０内の水を植栽部３０内に導水するものである。筒状部材５２の上部には、正面視及び背面視で矩形の切欠５２１が対向する位置の２箇所形成され、側方に突出する突出部５２２が対向する位置の２箇所形成され、その下に平面視円形のフランジ部５２３が形成されている。更に、フランジ部５２３の下側には側方に突出する把持部５２４が形成され、筒状部材５２の下部には正面視及び背面視で長方形の切欠孔５２５が形成され、上面開放で下面は底部５２６で閉塞されている。下側の切欠孔５２５は吸水棒５１と貯水部４０内の水分を接触させるための孔であり、又、上側の切欠５２１は植栽部３０内に充填される育成材と吸水棒５１との接触面積を増やすための切欠であるが、吸い上げ性能によっては何れか一方或いは双方を設けないことも可能である。
【００３５】
突出部５２２を有する筒状部材５２の上部は、植栽部３０の吸水部材取付孔３１１に挿通可能であると共に、フランジ部５２３が吸水部材取付孔３１１に挿通不能な大きさとなっている。吸水部材５０或いは筒状部材５２は、突出部５２２が切込３１２に位置するようにして、植栽部３０の底板３１の下面から筒状部材５２の上部を挿通され、例えば９０度など所定角度回転して突出部５２２の位置を切込３１２の位置からずらし、突出部５２２とフランジ部５２３とで底板３１を挟持するようにして底板３１に取り付けられ、上下への抜けが防止される。
【００３６】
植栽部３０を貯水部４０とで緑化ユニット２０を構成する場合には、例えば植栽部３０の底板３１に上述のごとく吸水部材５０を取り付け、図４に示すように、吸水部材５０を取り付けた植栽部３０の下側に貯水部４０を配置し、植栽部３０と貯水部４０とを固定して取り付け、基本的な緑化ユニット２０を構成する。植栽部３０と貯水部４０の取付では、植栽部３０の後側壁３３と貯水部４０の後側壁４３とを蝶番７０で固定すると共に、植栽部３０の突出片３２１を貯水部４０の前側壁４２に重ね合わせ、挿通孔３２２とネジ込み孔４２１とを対応する位置に配置し、挿通孔３２２とネジ込み孔４２１とに蝶ネジ２１をネジ込むことにより、植栽部３０と貯水部４０の双方を前面側で固定する。尚、吸水部材５０は後述のごとく貯水部４０を回転して開放することにより取り付けてもよい。
【００３７】
緑化ユニット２０は、前側の蝶ネジ２１を外すことにより、貯水部４０が植栽部３０に対して蝶番７０を軸にして傾動或いは回転可能になっており、後述する潅水パイプ９０の配置、吸水部材５０の取り付け・取り外し・交換等を、貯水部４０を回転して開放することにより、前側から容易に行うことが可能である。また、植栽部３０と貯水部４０の前側の固定を蝶ネジ２１で行うことにより、工具を必要とせずに容易に固定作業を行うことが可能である。
【００３８】
尚、植栽部３０と貯水部４０の前側を連結する連結具と、後側を傾動或いは回動可能に連結する連結具は蝶ネジ２１と蝶番７０に限定されず、前記前側の連結具は例えば通常のネジ、ビス、ボルト及びナット、リベット等とすることが可能であり、後述する潅水パイプ９０を植栽部３０上に配設する場合、或いは潅水パイプ９０自体を配設しない場合等には、これらの連結具で貯水部４０を回動不能に植栽部３０に取り付けてもよい。また、前記後側の連結具は例えば貯水部４０に設けられる鉤状の引掛部など係止部と、植栽部３０に設けられる引掛孔など披係止部とで構成されるものとすることが可能である。また、蝶番７０を設ける箇所は後側に限定されず、側面側或いは前側とすることも可能である。
【００３９】
そして、緑化ユニット２０に余剰水誘導部８０を設ける。余剰水誘導部８０を設ける場合には、図６に示すように、緑化ユニット２０の前側に余剰水誘導部８０を取り付ける。余剰水誘導部８０は正面視長方形であり、その幅は、緑化ユニット２０の正面視の幅よりも幅広で、緑化ユニット２０の左右に若干の突出部が設けられる程度の幅であり、その上下方向の長さは、後述する支持器具６０に取り付けて所定間隔を開けて垂直方向に複数の緑化ユニット２０を設置した際に、上に位置する緑化ユニット２０の余剰水誘導部８０の下端が、その直ぐ下に位置する緑化ユニット２０の植栽部３０の上面開放部の後端よりも後方に配置することが可能な長さである。余剰水誘導部８０は、その上部に取付孔８１を有し、蝶ネジ２１を必要に応じて一旦取り外し、余剰水誘導部８０の取付孔８１をネジ込み孔４２１と挿通孔３２２に対応する位置に配置し、取付孔８１とネジ込み孔４２１と挿通孔３２２に蝶ネジ２１をねじ込むことにより、余剰水誘導部８０が植栽部３０及び貯水部４０に取り付けられる。余剰水誘導部８０は緑化ユニット２０の貯水部４０の上端縁より上側の位置から貯水部４０の下端縁までを前側から被覆する。
【００４０】
余剰水誘導部８０は、例えば鋼製、プラスチック製等の板材、或いはシート材など適宜であるが、例えばポリエステルシートなど、可撓性若しくは柔軟性を有する素材、ある程度の可撓性を有し、且つその形状を維持可能な素材とすると好適である。また、余剰水誘導部８０の色は適宜であるが、例えば透明、半透明、箱体である植栽部３０と同色、或いは植物と同色とすると、目立って美観を損ねることが無くなるので好ましい。
【００４１】
更に、余剰水誘導部８０を設けた緑化ユニット２０を用いて緑化構造体１０を構成する場合、支持器具６０を壁面１１０に設け、緑化ユニット２０を支持器具６０に取り付ける（図１参照）。支持器具６０は、図７及び図８に示すように、Ｌ字形金具６１と、固定部材６２と、チャンネル部材６３と、植栽部３０の係止片３７３を係止可能な被係止部材６４とを有する。
【００４２】
Ｌ字形金具６１は、細長の基板６１１と、基板６１１の幅方向の一端を屈曲して延設されている支持板６１２とを有する。Ｌ字形金具６１は、支持板６１２側の端部を上側にして壁面１１０に沿うように水平に配置され、基板６１１の長手方向に所定間隔毎にアンカー６１３を打設して、壁面１１０に固定される。
【００４３】
固定部材６２は、壁面１１０側に配置される後壁６２１と、上板６２２と、下板６２３と、長手方向両側の側壁６２４とで構成される前面開放の略箱形の細長部材であり、Ｌ字形金具６１よりも若干長めに形成され、Ｌ字形金具６１と重ねて配置した際に両側に突出部が設けられるようになっている。固定部材６２は、その長手方向を水平方向にして、上板６２２をＬ字形金具６１の支持板６１２の下面側に接触して配置され、ボルト・ナット等の締着具６２５でＬ字形金具６１に固定される。
【００４４】
チャンネル部材６３は、両側の側壁６３１と前壁６３２とで構成される断面視コ字形の柱状部材であり、開放側を壁面１１０側にして固定部材６２の両側にそれぞれ配置され、内側の側壁６３１を固定部材６２の側壁６２４に接触配置され、ボルト・ナット等の締着具６３３で固定部材６２に固定される。前側壁６３２には所定間隔で後述する凹部６４４に対応するパターンで取付孔６３４が形成されている。
【００４５】
被係止部材６４は、壁面１１０に平行に配置される基板６４１と、基板６４１の内側端縁の下部を壁面１１０側に屈曲するように屈曲延設されている載置片６４２とで構成され、基板６４１の内側上部の角は面取りされて面取り部６４３になっていると共に、基板６４１の内側下部及び外側上部に正面視で凹んでいる凹部６４４が形成され、凹部６４４の略中央にボルト挿通孔６４５が穿設されている。被係止部材６４は、高さ方向の所定間隔毎に、一対のチャンネル部材６３・６３の対応する高さに各々配置され、取付孔６３４とボルト挿通孔６４５とを対応させるようにしてチャネル部材６３の前側に配置され、ボルト６４６とナット６４７等の締着具でチャンネル部材６３に固定される。チャンネル部材６３の前壁６３２の前面と、被係止部材６４の基板６４１の後面との間には、凹部６４４の後方への突出により空間６５が形成され、被係止部材６４及び被係止部材６４が設けられているチャンネル部材６３の箇所或いは被係止部材６４は支持部に相当する。
【００４６】
緑化ユニット２０の支持器具６０への設置では、図９及び図１０に示すように、チャンネル部材６３の前壁６３２の前面と被係止部材６４の基板６４１の後面との間の空間６５に、緑化ユニット２０の係止部材３７の係止片３７３を上側から入り込ませ、係止片３７３を載置片６４２に載置するようにして係合し、緑化ユニット２０が被係止部材６４の設置箇所に対応する箇所に設置され、所要の被係止部材６４の設置箇所に緑化ユニット２０を設け、複数の緑化ユニット２０を垂直方向に布設することにより緑化構造体１０が構成される。前記係止部材３７の被係止部材６４への係止では、被係止部材６４に面取り部６４３が形成されていることにより、係止片３７３を容易に係合することが可能である。
【００４７】
前記緑化構造体１０では、係止部材３７の傾斜する間隔調整部３７２の上辺と係止片３７３により、緑化ユニット２０が前方に傾斜して配置され、上に位置する緑化ユニット２０の余剰水誘導部８０の下端が、その一つ下或いはその直下に位置する緑化ユニット２０の植栽部３０の後側壁３３より後方に配置される。従って、上に位置する緑化ユニット２０の貯水部４０から溢れた余剰水等を余剰水誘導部８０で下に位置する緑化ユニット２０の後方へ流し出すことが可能となり、下の緑化ユニット２０における植物１００に根腐れ等の悪影響が生ずることを防止できる。
【００４８】
尚、図１の例では、傾斜して設けられる余剰水誘導部８０の下部が植物１００に押されるようにして貯水部４０の下端縁近傍から後方へより急峻に傾斜して設けられているが、緑化ユニット２０の設置角度の傾斜をより急峻にする等で、側面視の原形状が直線状である余剰水誘導部８０をそのまま緑化ユニット２０の傾斜角度に略対応するように傾斜させて設けると、下の緑化ユニット２０の植物１００の良好な育成を確保できると共に美観をより向上することができる。
【００４９】
また、余剰水誘導部８０の設置では、余剰水誘導部８０を予め緑化ユニット２０に取り付け、その状態で支持器具６０に設置する構成、或いは余剰水誘導部８０が取り付けられていない緑化ユニット２０を支持器具６０に設置し、その設置後に余剰水誘導部８０を取り付ける構成、或いは緑化ユニット２０若しくは支持器具６０に設置された緑化ユニット２０に後述する育成材を充填した後に余剰水誘導部８０を取り付ける構成、或いは緑化ユニット若しくは支持器具６０に設置された緑化ユニット２０に後述する植栽を施した後に余剰水誘導部８０を取り付ける構成など適宜である。
【００５０】
そして、上記緑化構造体１０の各緑化ユニット２０の植栽部３０に育成材を充填し、前記育成材に植物１００を植えて、図１に示す植栽された緑化構造体１０を構成する。前記育成材は、植栽可能なものであれば適宜であり、例えばパーライト、バーミキュウライト、ピートモス、バーク堆肥、チャフコン、木質腐朽有機物、ゼオライト、下水或いは浄水場から発生する汚泥、或いは汚泥の焼却灰等を用いることができる。また、これらの内の数種類を選定し、更には根腐れ防止用の硅酸塩白土等を植物の種類、環境等に応じて適宜選定し、これらを保水性、排水性を良好にするためにバランス良く配合する、或いは配合して固化してブロック状にする軽量育成材や、スポンジやヤシガラ等の繊維材等の軽量育成材などを育成材として用いると良好である。かかる通気性良好な軽量育成材を育成材として採用することにより、植物の根が傷むことを防止でき、又、これらの軽量育成材による荷重は、従来の客土の約１／３程度であることから、披係合部材６４など支持部に負荷される荷重、或いは壁面１１０に負荷される荷重を軽減することができる。また、緑化構造体１０の各緑化ユニット２０は前方に傾斜し、緑化ユニット２０の植物１００で一つ上の緑化ユニット２０の余剰水誘導部８０を隠すことが可能であり、優れた美観を確保することができる。
【００５１】
更に、緑化構造体１０には、蝶番７０を中心に貯水部４０を回動して開放し、凹部４７に後述する給水部に相当する潅水パイプ９０を配設し、貯水部４０を回動して閉塞することにより緑化ユニット２０とする等により、各緑化ユニット２０或いは各貯水部４０に対して潅水パイプ９０で給水可能な構成することが好ましい。
【００５２】
前記潅水パイプ９０を設置する緑化構造体１０では、例えば支持器具６０を壁面１１０に固定して設置する第１工程と、支持器具６０に緑化ユニット２０を設置する第２工程と、潅水パイプ９０を配設する第３工程と、各緑化ユニット２０に育成材を設ける第４工程と、育成材に植物１００を植栽する第５工程の順番に施工するが、前記施工工程の順番は必要に応じて可能な範囲で適宜である。例えば床面１２０など平地で緑化ユニット２０に育成材を設け、前記育成材に植栽して植栽された緑化ユニット２０を構成した後に支持器具６０に設置することも可能であり、前記構成により、高い場所での作業量を減らすことが可能となると共に、育成材が作業中にこぼれ落ちること等を防止できる。更に、別の場所で育成された植物１００を緑化ユニット２０を利用して運搬することができると共に、緑被率の高い緑化構造体１０を容易に構成することも可能となる。
【００５３】
〔実施形態の緑化構造体を並設する緑化設備〕
上記実施形態の緑化構造体１０を、図１１に示すように、各緑化構造体１０の緑化面が平面的に並ぶようにして複数横方向に並設することにより、緑化設備を構成すると好適である。図１１の緑化設備は、緑化構造体１０・１０を隣接して設け、隣り合う緑化構造体１０・１０に於ける略同一高さの隣り合う余剰水誘導部８０・８０の端部を相互に重ね合わせるようにして配置し、重なり部８２としている。余剰水誘導部８０・８０の端部相互を重なり部８２とすることにより、隣り合う緑化構造体１０・１０の余剰水誘導部８０・８０相互間に隙間ができないようにし、余剰水をより確実に誘導することが可能となる。
【００５４】
更に、図１１の緑化設備には、各緑化ユニット２０に給水可能な潅水パイプ９０が設けられている。潅水パイプ９０は、略垂直方向に立ち上がって延び、その下端部から水源に延びて接続されている主管９１と、主管９１から分岐して各緑化ユニット２０に導かれる複数の副管９２とで構成され、副管９２は水平方向に設置された緑化ユニット２０の全体まで延び、例えば副官９２に形成されている孔等から各緑化ユニット２０に給水可能である。主管９１、副管９２には適宜の構成のものを用いることが可能であるが、副管９２には例えば多孔質パイプ、或いはドリップチューブ等を用いると好適である。
【００５５】
主管９１と水源との間には、主管９１の開閉弁、所定条件の充足に従って前記開閉弁の開閉制御を行う開閉制御部を設けて潅水を制御し、自動給水を行う構成とすることが好ましい。前記自動給水の所定条件としては、所定時間或いは所定日など所定期間を記憶部に記憶し、タイマーの計時によって前記開閉制御部が前記所定期間の経過を認識し、前記所定期間の経過に応じて開閉弁を開放して所定時間或いは所定量潅水する等のタイマー潅水方式の条件、又は、各緑化ユニット２０の植栽部３０或いは貯水部４０に水分センサーを設け、前記開閉制御部が、水分センサーの検出値を対比して最も水分量の少ない状態に対応する検出値を特定し、前記検出値を記憶部の所要水分量の所定検出値と対比して前記所要水分量より少ない水分量の検出値である場合に開閉弁を開放して所定時間或いは所定量潅水する等のセンサー潅水方式の条件等とするなど適宜である。また、前記緑化設備の各緑化ユニット２０には、図示省略する育成材及び育成材に植栽される植物が設けられる。
【００５６】
上記実施形態の緑化構造体１０及び緑化設備は、上に位置する緑化ユニット２０の余剰水がその一つ下或いはその直下の緑化ユニット２０に流れ込むことを防止し、下に位置する緑化ユニット２０に与える影響を無くすことができる。また、上下の緑化ユニット２０間で発生する水分量の差を極力減らすことができる。従って、植物１００の根腐れによる枯死或いは乾燥による枯死を極力減らし、健全な植物の育成を図ることが可能となる。また、余剰水誘導部８０を取り付け・取り外し可能とすることにより、緑化構造体１０、緑化設備の設置場所の環境などに応じて余剰水誘導部８０の有無を選択することが可能となる。また、緑化ユニット２０を傾けて設けることにより、植物１００の生長空間を確保して植物１００の生長阻害を防止することができると共に、下に位置する緑化ユニット２０の植物１００で上の緑化ユニット２０或いは余剰水誘導部８０を隠すことが可能となり、美観を向上することができる。
【００５７】
〔実施形態の変形例等〕
本発明は上記緑化構造体１０、緑化ユニット２０、緑化設備に限定されるものではなく、下記例のように様々な変形や拡張が可能であり、更に、本発明には各例示の必要な構成を部分的に削除し、或いは一の例示の構成に他の例示の構成を部分的に追加若しくは変更し、或いは様々な例示の構成を組み合わせたものも含まれる。また、下の緑化ユニットへの落下の有無を問わずに所定経路に余剰水を導く余剰水誘導部の各部の構成、或いは余剰水誘導部の有無を問わない実施形態の各部の構成も本明細書に開示の発明に含まれる。
【００５８】
本発明に於ける緑化ユニットは、上記緑化ユニット２０以外に、例えば育成材と植物が設けられる植栽部だけの緑化ユニット、水耕栽培用の貯水部だけの緑化ユニット、植栽部３０と貯水部４０が一体的に設けられる緑化ユニットとすることが可能である。更に、緑化ユニット、植栽部、貯水部を容器状以外のものとすることも可能であり、例えばマット状の緑化ユニット、或いは育成材を固化した構成の緑化ユニットとしてもよい。また、緑化ユニットを設ける構成は可能な範囲で適宜であり、傾斜して設けずに水平に設ける構成、或いは９０度傾斜して横に向けて設ける構成とすることも可能である。前記９０度傾ける場合には、育成材として固化したものやマット状のものを使用すると好適であり、又、緑化ユニット若しくは植栽部を網などで被覆すると、育成材の落下を防止できるので好ましい。
【００５９】
図１２〜図１４は緑化ユニットの形状、構成等の変形例を示す図である。図１２〜図１４は、略箱形の植栽部だけで構成される緑化ユニット２０ａ〜２０ｃであり、それぞれ底板２１ａ〜２１ｃ、前側壁２２ａ〜２２ｃ、後側壁２３ａ〜２３ｃ、左側壁２４ａ〜２４ｃ、右側壁２５ａ〜２５ｃを有すると共に、余剰水誘導部８０ａ〜８０ｃを有する。各余剰水誘導部８０ａ〜８０ｃは、細長の取付板８１ａ〜８１ｃと、取付板８１ａ〜８１ｃの下端から後側に所定角度で傾斜して設けられている傾斜板８２ａ〜８２ｃとで構成され、取付板８１ａ〜８１ｃがそれぞれ前側壁８２ａ〜８２ｃに蝶ネジ等で固定されている。
【００６０】
図１２の緑化ユニット２０ａの底板２１ａは、前部に設けられた傾斜面２１１ａと、後部に設けられた水平面２１２ａとで構成され、傾斜面２１１ａに余剰水誘導部８０ａの傾斜板８２ａが沿うように配置されており、緑化ユニット２０ａを前方に傾斜して設けた状態で、傾斜面２１１ａが略水平に近づいた状態になる構成である。図１３の緑化ユニット２０ｂの底板２１ｂは、前部と後部の傾斜面２１１ｂ、２１２ｂで構成され、その底縁として角部２１３ｂが形成されており、余剰水誘導部８０ｂの傾斜板８２ｂは前部の傾斜面２１１ｂに沿うように配置されている。図１４の緑化ユニット２０ｃの底板２１ｃは断面視半円筒状或いは側面視円弧状であり、ポット状植物或いは植物の苗を入れることが可能な円形の開口部２１１ｃが所定箇所に形成された蓋体２６ｃを有してよおり、育成材の飛散と無駄な水分の蒸発を防ぐことが可能である。
【００６１】
また、本発明に於ける余剰水誘導部の形状及び構造は、上記実施形態の余剰水誘導部８０等に限定されず適宜であるが、余剰水を受ける面状領域を有するものとすると好適である。余剰水誘導部は、例えば図１５〜図１９の構成等とすることも可能である。
【００６２】
図１５の余剰水誘導部８０ｄは、細長の取付板８１ｄと、取付板８１ｄの下端から後側に屈曲して形成されている傾斜板８２ｄとを有し、前記屈曲部が緑化ユニット２０の前側下端より若干下方に配置され、植栽部３０の前側壁３２に蝶ネジ２１で取り付けることにより、緑化ユニット２０に取り付けられている。前記構成により、余剰水の誘導中に余剰水の重さが重くなった場合にも、下の緑化ユニット２０の植栽部３０に余剰水が落下することを確実に防止することができ、また、緑化ユニット前面からの風通しを良くすることができ、良好に植栽が可能となる。
【００６３】
図１６の余剰水誘導部８０ｅは、細長の取付板８１ｅと、取付板８１ｅの下端から後側に屈曲して形成されている傾斜板８２ｅと、取付板８１ｅと傾斜板８２ｅの側方端部に緑化ユニット２０の前部下端の側面近傍を略覆うように形成される三角形の折り返し部８３ｅとを有し、緑化ユニット２０の幅と略同一幅かそれより若干大きい幅とされ、植栽部３０の前側壁３２に蝶ネジ２１で取り付けることにより、緑化ユニット２０に取り付けられている。前記構成により、緑化ユニット２０毎に確実に余剰水を誘導することが可能となる。
【００６４】
図１７の余剰水誘導部８０ｆは、正面視矩形の基板８１ｆと、基板８１ｆの側方端部で後側に屈曲して形成されている細長長方形の折り返し部８２ｆとを有し、緑化ユニット２０の幅と略同一幅かそれより若干大きい幅とされ、折り返し部８２ｆは緑化ユニット２０の前部下端の側面近傍を略覆うように形成されている。余剰水誘導部８０ｆは植栽部３０の前側壁３２に蝶ネジ２１で取り付けることにより、緑化ユニット２０に取り付けられている。緑化ユニット２０を前方に傾斜して設け、前記構成を用いることにより、緑化ユニット２０毎に確実に余剰水を誘導することが可能となる。
【００６５】
図１８の余剰水誘導部８０ｇは、取付板８１ｇと傾斜板８２ｇを有する図１５の余剰水誘導部８０ｄと同様の構成であり、植栽部３０の前側壁３２と取付板３２との間に間座部材８３ｇを設け、緑化ユニット２０の前面から所定距離離間して余剰水誘導部８０ｇを配設する構成である。間座部材８３ｇは例えば筒状部材として蝶ネジ２１が挿入されるもの等とする。前記構成により、緑化ユニット２０の前面を伝って流れてくる余剰水が発生した場合にも確実に余剰水を誘導することが可能となる。
【００６６】
図１９の余剰水誘導部８０ｈは、波形部８１ｈが所定間隔毎に形成された略板状であり、植栽部３０の前側壁３２に蝶ネジ２１で取り付けることにより、緑化ユニット２０に取り付けられている。余剰水誘導部８０ｈは、高い強度を有すると共に、緑化ユニット２０との間に緑化ユニット２０の前面に沿って下方に延びる所定間隔毎の空間８２ｈが設けられることから、緑化ユニット２０の前面を伝って流れてくる余剰水が発生した場合にも確実に余剰水を誘導することが可能となる。
【００６７】
また、複数の緑化構造体１０を並設して緑化設備を構成する場合に、隣り合う２つの緑化ユニット２０・２０に跨って余剰水誘導部８０を設け、前記緑化ユニット２０・２０に対して１つの余剰水誘導部８０を設ける等、複数並設される緑化ユニットに対して一つの余剰水誘導部を設ける構成とすることも可能であり、前記構成により、余剰水誘導部の取付作業の負担を軽減することができる。また、余剰水誘導部の固定手段は、蝶ネジ２１などネジ類で固定する以外にも適宜であり、例えば接着材、両面テープなど接着して固定する、或いは余剰水誘導部と緑化ユニット若しくは植栽部が鋼製の場合等に溶接して固定する構成等とすることが可能である。
【００６８】
また、本発明に於ける支持器具或いは支持部の構成は、上記実施形態の支持器具６０、係止部材３７、被係止部材６４による構成に限定されず適宜である。例えば網目状の支持部を壁面１１０に固定し、緑化ユニットに前記網目に引っ掛ける係止部を設け、前記係止部を前記網目に引っ掛けて緑化ユニットを係止して設置する構成等とすることも可能である。また、支持部を壁面１１０に固定しない構成とすることも可能であり、例えばチャンネル部材６３の下端部を床面１２０に固定して設置し、緑化ユニットの係止部材が引っ掛けられる、後方から前方へ延びる被係止部材など支持部を設け、自立式の支持器具とすることが可能である。前記構成により、壁面１１０がない場所にも緑化構造体や緑化設備を設置することが可能となり、設置場所に限定されなくなる。また、壁面１１０が低い場合等には、例えばチャンネル部材６３の上端に壁面１１０の上端に引っ掛ける引っ掛け部を設け、支持部を吊り下げる構造とすることも可能である。
【００６９】
また、チャンネル状の部材を、水平方向に長く、且つ上下方向に複数本壁面にアンカー等で固定し、このチャンネル状の部材に、被係止部材６４などの係止部材が係合可能な部材を取り付け、この被係止部材６４等に緑化ユニットを取り付けるなど適宜であり、これにより、支持器具の壁面への取付作業が容易となる。
【００７０】
また、係止部材及び係止片、被係止部材の構成、係合構造は、上記実施形態の係止部材３７及び係止片３７３、支持部を構成する被係止部材６４の構成に限定されず適宜であり、例えば植栽部３０に被係止部材を設け、支持器具６０に係止部材或いは係止片を設ける構成とすることも可能である。前記構成により、緑化ユニット２０に突出した箇所が減って取り扱いが容易となる。また、被係止部材６４の少なくとも凹部６４４を可撓性とし、凹部６４４の突出部による空間６５についてボルト等の締め付けで若干の間隔調整を可能とし、チャンネル部材６３の前壁６３２と被係止部材６４の基板６４１とで係止片３７３の少なくとも一部を挟持する構成とすると、緑化ユニット２０の設置状態をより安定化することができて好ましい。
【００７１】
また、緑化構造体や緑化設備に潅水する場合の構成は、上記実施形態の構成に限定されず適宜であり、例えば植栽部３０上に潅水パイプ９０を配設する、或いは植栽部３０の育成材内に潅水パイプ９０を配設する構成等とすることが可能である。また、緑化ユニット２０に植えられる植物は適宜であり、例えば芝、セダム、タマリュウなどの地被植物、或いはカナメモチ、サツキ、ゴールドクレスト、ツツジ、コノテ、アオキ、アジサイ、ツバキ、キンモクセイ、ツゲ、シャクナゲ、アサガオ、芋、アイビー、ヘデラ等の蔓性植物等、又はこれらの組み合わせ等とすることが可能である。尚、ある程度高さがあり、横への広がりを有する植物としてはサツキなどが好適である。また、緑化構造体或いは緑化設備に設置する緑化ユニットの個数、設置位置、設置構造は可能な範囲で適宜の構成とすることが可能である。
【００７２】
また、貯水部４０から水分を吸水する吸水部材５０は、上記実施例では、１つの緑化ユニット２０に対して３本設ける構成について説明したが、この本数は上記実施例に限定されるものではなく、３本以上の複数、３本以下の単数又は複数など、植物の種類や育成材の種類、地域などに応じて設定するなど適宜である。但し、６本以上の複数設けると、より確実に、且つ早く植物１００へ吸水することが可能となって好適である。また、吸水部材５０の上部が育成材内に突出しているが、この突出量が多ければ、より確実に吸水した水分を育成材に導くことができるため、好適である。
【産業上の利用可能性】
【００７３】
本発明は、例えば垂直方向に緑化ユニットを設ける緑化設備として利用することができる。
【図面の簡単な説明】
【００７４】
【図１】（ａ）は実施形態の緑化構造体の正面図、（ｂ）はその側面図。
【図２】（ａ）は実施形態の緑化構造体における植栽部の平面図、（ｂ）はその正面図、（ｃ）はその背面図、（ｄ）はその左側面図、（ｅ）はその右側面図。
【図３】（ａ）は実施形態の緑化構造体における貯水部の平面図、（ｂ）はその正面図、（ｃ）はその背面図、（ｄ）はその左側面図、（ｅ）はその右側面図。
【図４】（ａ）は実施形態の緑化構造体における緑化ユニットの平面図、（ｂ）はその正面図、（ｃ）はその背面図、（ｄ）はその左側面図、（ｅ）はその右側面図。
【図５】（ａ）は実施形態の緑化構造体における吸水部材の平面図、（ｂ）はその正面図、（ｃ）は同図（ａ）の吸水部材を９０度回転させた状態の平面図、（ｄ）は同図（ａ）の吸水部材の側面図。
【図６】（ａ）は実施形態の緑化構造体における余剰水誘導部が取り付けられた緑化ユニットの平面図、（ｂ）はその正面図、（ｃ）はその背面図、（ｄ）はその左側面図、（ｅ）はその右側面図。
【図７】（ａ）は実施形態の緑化構造体における支持部の壁への取り付けを説明する平面説明図、（ｂ）はその正面説明図。
【図８】（ａ）は実施形態の緑化構造体における被係止部材の壁への取り付けを説明する平面説明図、（ｂ）はその正面説明図。
【図９】（ａ）は実施形態の緑化構造体における支持部に緑化ユニットを取り付けた状態を示す平面図、（ｂ）はその正面図、（ｃ）はその側面図。
【図１０】（ａ）は図９（ａ）のα部の拡大平面図、（ｂ）は図９（ｃ）のβ部の拡大側面図。
【図１１】（ａ）は実施形態の緑化構造体を並設した緑化設備を示す正面図、（ｂ）は同図（ａ）のγ部の拡大正面図。
【図１２】（ａ）は第１変形例の緑化ユニットの平面図、（ｂ）はその正面図、（ｃ）はその右側面図。
【図１３】（ａ）は第２変形例の緑化ユニットの平面図、（ｂ）はその正面図、（ｃ）はその右側面図。
【図１４】（ａ）は第３変形例の緑化ユニットの平面図、（ｂ）はその正面図、（ｃ）はその右側面図。
【図１５】（ａ）は第１変形例の余剰水誘導部が取り付けられた緑化ユニットの平面図、（ｂ）はその右側面図。
【図１６】（ａ）は第２変形例の余剰水誘導部が取り付けられた緑化ユニットの平面図、（ｂ）はその右側面図。
【図１７】（ａ）は第３変形例の余剰水誘導部が取り付けられた緑化ユニットの平面図、（ｂ）はその右側面図。
【図１８】（ａ）は第４変形例の余剰水誘導部が取り付けられた緑化ユニットの平面図、（ｂ）はその右側面図。
【図１９】（ａ）は第５変形例の余剰水誘導部が取り付けられた緑化ユニットの平面図、（ｂ）はその右側面図。
【符号の説明】
【００７５】
１０…緑化構造体  ２０、２０ａ、２０ｂ、２０ｃ…緑化ユニット  ２１…蝶ネジ  ２１ａ、２１ｂ、２１ｃ…底板  ２２ａ、２２ｂ、２２ｃ…前側壁  ２３ａ、２３ｂ、２３ｃ…後側壁  ２４ａ、２４ｂ、２４ｃ…左側壁  ２５ａ、２５ｂ、２５ｃ…右側壁  ２６ｃ…蓋体  ２１１ａ…傾斜面  ２１２ａ…水平面  ２１１ｂ、２１２ｂ…傾斜面  ２１３ｂ…角部  ２１１ｃ…開口部  ３０…植栽部  ３１…底板  ３１１…吸水部材取付孔  ３１２…切込  ３２…前側壁  ３２１…突出片  ３２２…挿通孔  ３３…後側壁  ３４…左側壁  ３５…右側壁  ３６…補強片  ３７…係止部材  ３７１…基板  ３７２…間隔調整部  ３７３…係止片  ４０…貯水部  ４１…底板  ４２…前側壁  ４２１…ネジ込み孔  ４３…後側壁  ４４…左側壁  ４５…右側壁  ４６…仕切部  ４６１…長辺  ４７…凹部  ４７１…傾斜面  ５０…吸水部材  ５１…吸水棒  ５２…筒状部材  ５２１…切欠  ５２２…突出部  ５２３…フランジ部  ５２４…把持部  ５２５…切欠孔  ５２６…底部  ６０…支持器具  ６１…Ｌ字形金具  ６１１…基板  ６１２…支持板  ６１３…アンカー  ６２…固定部材  ６２１…後壁  ６２２…上板  ６２３…下板  ６２４…側壁  ６２５…締着具  ６３…チャンネル部材  ６３１…側壁  ６３２…前壁  ６３３…締着具  ６３４…取付孔  ６４…被係止部材  ６４１…基板  ６４２…載置片  ６４３…面取り部  ６４４…凹部  ６４５…ボルト挿通孔  ６４６…ボルト  ６４７…ナット  ６５…空間  ７０…蝶番  ８０、８０ａ、８０ｂ、８０ｃ、８０ｄ、８０ｅ、８０ｆ、８０ｇ、８０ｈ…余剰水誘導部  ８１…取付孔  ８２…重なり部  ８１ａ、８１ｂ、８１ｃ、８１ｄ、８１ｅ、８１ｇ…取付板  ８１ｆ…基板  ８１ｈ…波形部  ８２ａ、８２ｂ、８２ｃ、８２ｄ、８２ｅ、８２ｇ…傾斜板  ８２ｈ…空間  ８３ｅ、８２ｆ…折り返し部  ８３ｇ…間座部材  ９０…潅水パイプ  ９１…主管  ９２…副管  １００…植物  １１０…壁面  １２０…床面
【図１】
2009159946.tif 000003
【図２】
2009159946.tif 000004
【図３】
2009159946.tif 000005
【図４】
2009159946.tif 000006
【図５】
2009159946.tif 000007
【図６】
2009159946.tif 000008
【図７】
2009159946.tif 000009
【図８】
2009159946.tif 000010
【図９】
2009159946.tif 000011
【図１０】
2009159946.tif 000012
【図１１】
2009159946.tif 000013
【図１２】
2009159946.tif 000014
【図１３】
2009159946.tif 000015
【図１４】
2009159946.tif 000016
【図１５】
2009159946.tif 000017
【図１６】
2009159946.tif 000018
【図１７】
2009159946.tif 000019
【図１８】
2009159946.tif 000020
【図１９】
2009159946.tif 000021